(57)【要約】【課題】  使用者が室内の配置場所に応じて形状を変化させることができ、しかも、製造者側が不必要に在庫を抱える心配もない左右反転式コーナーソファを提供すること。【解決手段】  平面視で矩形型のソファであって隣り合う第一側辺部Ｐと第二側辺部Ｑに背凭れが設けられ、かつ、長手側の側辺部の背凭れよりも座部が幅広く形成されたコーナーソファＳにおいて、前記コーナーソファＳを、平面視で正方形型を成し、かつ、第一側辺部Ｐと第二側辺部Ｑに背凭れ12が設けられた第一ソファ構造体１と；この第一ソファ構造体１に隣接して配置され、かつ、座部21の左端或いは右端に寄せて固定可能な移動手段を備えた移動式背凭れ22が設けられた第二ソファ構造体２と；前記第一ソファ構造体１と第二ソファ構造体２の座部11・21に跨って載置される座クッション３とを含んで構成した。【選択図】  図１
2011229740.tif 000002
【特許請求の範囲】
【請求項１】
平面視で矩形型のソファであって隣り合う第一側辺部Ｐと第二側辺部Ｑに背凭れが設けられ、かつ、長手側の側辺部の背凭れよりも座部が幅広く形成されたコーナーソファＳにおいて、
前記コーナーソファＳが、平面視で正方形型を成し、かつ、第一側辺部Ｐと第二側辺部Ｑに背凭れ12が設けられた第一ソファ構造体１と；この第一ソファ構造体１に隣接して配置され、かつ、座部21の左端或いは右端に寄せて固定可能な移動手段を備えた移動式背凭れ22が設けられた第二ソファ構造体２と；前記第一ソファ構造体１と第二ソファ構造体２の座部11・21に跨って載置される座クッション３とを含んで構成され、
前記第二ソファ構造体２における移動式背凭れ22の左右位置を変更することにより、第二ソファ構造体２の配置を第一ソファ構造体１の第一側辺部Ｐ側から第二側辺部Ｑ側、若しくは第二側辺部Ｑ側から第一側辺部側Ｐに変更可能としたことを特徴とする左右反転式コーナーソファ。
【請求項２】
第二ソファ構造体２における座部21の後側と背凭れ22の下面とが、ボルト・ナットによって位置変更自在に連結されていることを特徴とする請求項１記載の左右反転式コーナーソファ。
【請求項３】
第一ソファ構造体１の座部11と、第二ソファ構造体２の座部21の左右両側にジョイント孔11a・21bがそれぞれ設けられ、第一ソファ構造体１と第二ソファ構造体２を隣接配置したとき、隣り合ったジョイント孔11a・21bに連結金具４を差し込んで双方のソファ構造体が連結されていることを特徴とする請求項１又は２に記載の左右反転式コーナーソファ。
【請求項４】
第一ソファ構造体１と第二ソファ構造体２の座部に載置される座クッション３が、双方の座部11・21に跨って載置される左右対称のメインクッション31と第二ソファ構造体２の背凭れが形成されない部位に配置されるサブクッション32とから構成されていることを特徴とする請求項１〜３の何れか一つに記載の左右反転式コーナーソファ。
【請求項５】
第一ソファ構造体１の座部11と第二ソファ構造体２の座部21に跨って載置される座クッション３が、左右非対称の異形型で、かつ、リバーシブルに作製されていることを特徴とする請求項１〜３の何れか一つに記載の左右反転式コーナーソファ。
【請求項６】
コーナーソファＳの短手側の側辺部に隣接して配置され、コーナーソファＳと共通する座部51及び背凭れ部52、クッション部材53を備えると共に、座部51の左右端部の何れか一方に選択的に取付け可能な分離式肘掛け54が設けられたオプションソファ５を含んで構成されていることを特徴とする請求項１〜５の何れか一つに記載の左右反転式コーナーソファ。
【発明の詳細な説明】
【技術分野】
【０００１】
本発明は、コーナーソファの改良、詳しくは、使用者が室内の配置場所に応じて形状を変化させることができ、しかも、製造者側が不必要に在庫を抱える心配もない左右反転式コーナーソファに関するものである。
【背景技術】
【０００２】
近年、ソファのバリエーションの一つとして室内の隅角に配置するカウチソファ等のコーナーソファがよく知られており、このようなコーナーソファの形態的な特徴としては、矩形型で背凭れが二側辺に渡って設けられていることが挙げられる（例えば、特許文献１参照）。
【０００３】
また、上記コーナーソファでは、その構造上、同じサイズのソファでも背凭れが左側にあるものと右側にあるものの２タイプが存在するため、使用者はこれらの内から自分の部屋に合ったタイプのものを選択して購入する必要がある。
【０００４】
しかしながら、上記従来のコーナーソファでは、使用者が一旦購入したソファを他の部屋に配置したい場合に、ソファの形態によって配置場所が制限されてしまうという不満があった。また、製造者側にとっても、同じデザインのソファを２種類ずつ準備する必要があったため、不要な在庫を抱える心配があった。
【先行技術文献】
【特許文献】
【０００５】
【特許文献１】実用新案登録第３０７５２８７号公報（第２−７頁、第１−３図）
【発明の概要】
【発明が解決しようとする課題】
【０００６】
そこで本発明は、上記の如き問題に鑑みて為されたものであり、その目的とするところは、使用者が室内の配置場所に応じて形状を変化させることができ、しかも、製造者側が不必要に在庫を抱える心配もない左右反転式コーナーソファを提供することにある。
【課題を解決するための手段】
【０００７】
本発明者が上記課題を解決するために採用した手段を添付図面を参照して説明すれば次のとおりである。
【０００８】
即ち、本発明は、平面視で矩形型のソファであって隣り合う第一側辺部Ｐと第二側辺部Ｑに背凭れが設けられ、かつ、長手側の側辺部の背凭れよりも座部が幅広く形成されたコーナーソファＳにおいて、
前記コーナーソファＳを、平面視で正方形型を成し、かつ、第一側辺部Ｐと第二側辺部Ｑに背凭れ12が設けられた第一ソファ構造体１と；この第一ソファ構造体１に隣接して配置され、かつ、座部21の左端或いは右端に寄せて固定可能な移動手段を備えた移動式背凭れ22が設けられた第二ソファ構造体２と；前記第一ソファ構造体１と第二ソファ構造体２の座部11・21に跨って載置される座クッション３とを含んで構成し、
前記第二ソファ構造体２における移動式背凭れ22の左右位置を変更することにより、第二ソファ構造体２の配置を第一ソファ構造体１の第一側辺部Ｐ側から第二側辺部Ｑ側、若しくは第二側辺部Ｑ側から第一側辺部側Ｐに変更可能とした点に特徴がある。
【０００９】
また本発明は、上記手段において、第二ソファ構造体２における座部21の後側と背凭れ22の下面とをボルト・ナットによって位置変更自在に連結するという技術的手段を採用することができる。
【００１０】
また本発明は、上記手段において必要に応じて、第一ソファ構造体１の座部11と、第二ソファ構造体２の座部21の左右両側にジョイント孔11a・21bをそれぞれ設け、第一ソファ構造体１と第二ソファ構造体２を隣接配置したとき、隣り合ったジョイント孔11a・21bに連結金具４を差し込んで双方のソファ構造体を連結するという技術的手段を採用することもできる。
【００１１】
そしてまた本発明は、上記手段において、第一ソファ構造体１と第二ソファ構造体２の座部に載置される座クッション３を、双方の座部11・21に跨って載置される左右対称のメインクッション31と第二ソファ構造体２の背凭れが形成されない部位に配置されるサブクッション32とから構成するという技術的手段を採用することもできる。
【００１２】
一方、本発明は、上記手段に替えて、第一ソファ構造体１の座部11と第二ソファ構造体２の座部21に跨って載置される座クッション３を、左右非対称の異形型で、かつ、リバーシブルに作製するという技術的手段を採用することもできる。
【００１３】
他方また本発明は、上記手段に加え、コーナーソファＳの短手側の側辺部に隣接して配置し、コーナーソファＳと共通する座部51及び背凭れ部52、クッション部材53を備えると共に、座部51の左右端部の何れか一方に選択的に取付け可能な分離式肘掛け54が設けられたオプションソファ５を含んで構成することもできる。
【発明の効果】
【００１４】
本発明では、コーナーソファを、正方形型の第一ソファ構造体と背凭れを左右に移動可能な第二ソファ構造体に分割して構成したことにより、第二ソファ構造体の背凭れの左右位置を変更して第一ソファ構造体に対する配置を逆にすればコーナーソファの形状を左右反転させることが可能となる。
【００１５】
しかも、上記コーナーソファにおいては、双方のソファ構造体の座部に跨って座クッションが載置されるため、外観および使用面でコーナーソファ全体としての一体感が損なわれることもない。
【００１６】
そして、上記左右反転が可能となったことにより、使用者は配置場所に応じてソファ形態を選択することができるため、部屋の模様替えを行う際の家具配置のバリエーションを多様化できる。また更に、製造者側にとってもコーナーソファをデザイン毎に一種類ずつ準備するだけでよいため、在庫管理の面で非常に都合が良い。
【００１７】
したがって、本発明により、使用者側の利便性の向上および製造者側の在庫リスクの削減を実現できる左右反転式のコーナーソファを提供できることから、本発明の実用的利用価値は頗る高い。
【図面の簡単な説明】
【００１８】
【図１】本発明の実施例１におけるコーナーソファを表す全体斜視図である。
【図２】本発明の実施例１におけるコーナーソファの構造を表す分解斜視図である。
【図３】本発明の実施例１における第二ソファ構造体の背凭れ固定構造を表す全体断面図である。
【図４】本発明の実施例１における第二ソファ構造体の背凭れの移動手段を表す状態説明図である。
【図５】本発明の実施例１におけるコーナーソファの使用状態を表す状態説明図である。
【図６】本発明の実施例２におけるリバーシブル型の座クッションを表す全体斜視図である。
【図７】本発明の実施例２におけるコーナーソファの使用状態を表す状態説明図である。
【図８】本発明の実施例３におけるオプションソファを表す全体正面図である。
【図９】本発明の実施例３におけるオプションソファの肘掛け取着構造を表す拡大斜視図である。
【図１０】本発明の実施例３におけるコーナーソファの使用状態を表す状態説明図である。
【図１１】本発明の変形例における第二ソファ構造体の背凭れの移動手段を表す全体下面図である。
【図１２】本発明の変形例におけるコーナーソファの使用状態を表す状態説明図である。
【図１３】本発明の変形例における第二ソファ構造体の背凭れの移動手段を表す全体上面図である。
【図１４】本発明の変形例における第二ソファ構造体の背凭れの移動手段を表す全体断面図である。
【図１５】本発明の変形例における第一ソファ構造体と第二ソファ構造体の連結構造を表す拡大斜視図である。
【図１６】本発明の変形例におけるオプションソファの肘掛けの移動手段を表す拡大斜視図である。
【発明を実施するための形態】
【００１９】
『実施例１』  
本発明の実施例１について、図１から図７に基いて説明する。同図において、符号１で指示するものは第一ソファ構造体であり、符号２で指示するものは第二ソファ構造体である。また、符号３で指示するものは座クッションであり、符号４で指示するものは、連結金具である。
【００２０】
この実施例１では、第一ソファ構造体１と第二ソファ構造体２とを隣接して配置し、これらの座部11・21上に座クッション３を載置することにより、平面視で矩形型を成し隣り合う第一側辺部Ｐと第二側辺部Ｑに背凭れを備え、かつ、長手側の第一側辺部Ｐの背凭れよりも座部が幅広く形成されたコーナーソファＳを構成している(図１、図２参照)。
【００２１】
更に詳細に説明すると、まず第一ソファ構造体１を、平面視で正方形型を成す形状で、かつ、隣接する第一側辺部Ｐと第二側辺部Ｑに背凭れ12を設けて作製すると共に、第二ソファ構造体２を、平面視で矩形型を成す形状で、かつ、座部21の左端或いは右端に寄せて固定可能な移動式背凭れ22を設けて作製している。なお図中では、第二ソファ構造体２の移動式背凭れ22を座部21の右側に寄せて固定している。
【００２２】
また実施例１では、上記第二ソファ構造体２において、座部21の後側に複数の貫通孔21a・21a…を幅方向に列設し、任意の貫通孔21a・21aの下側から固定ボルト22b・22bを挿通して、これを移動式背凭れ22の下面に埋設したナット部材22a・22aに取着することにより移動式背凭れ22を座部21に固定可能としている(図３参照)。
【００２３】
そして、必要に応じて図４(ａ)及び(ｂ)に示すように使用する貫通孔21a・21aを変えることにより、第二ソファ構造体２の移動式背凭れ22を座部21の右端から左端に移動させることができる。
【００２４】
また実施例１においては、上記第一ソファ構造体１の座部11と、第二ソファ構造体２の座部21の左右両側にジョイント孔11a・21bを設け、第一ソファ構造体１と第二ソファ構造体２を並べた際に隣り合ったジョイント孔11a・21bにコ型の連結金具４を差し込んで双方のソファ構造体を連結している。
【００２５】
そしてまた、上記座クッション３についても、第一ソファ構造体１と第二ソファ構造体２の双方の座部11・21に跨って載置する左右対称型のメインクッション31に加え、第二ソファ構造体２の背凭れが形成されない部位に載置するための小型のサブクッション32を使用している。
【００２６】
そして、コーナーソファＳに上記の構成を採用したことにより、図５(ａ)に示す状態から第二ソファ構造体２の移動式背凭れ22の位置を右側から左側に移して、第二ソファ構造体２の配置を第一ソファ構造体１の第一側辺部Ｐ側から第二側辺部Ｑ側に変更することにより、コーナーソファＳの形状を図５(ｂ)に示すように左右反転することができる。
【００２７】
また、上記と逆の手順を踏んで第二ソファ構造体２の配置を、第一ソファ構造体１の第二側辺部Ｑ側から第一側辺部側Ｐに変更してコーナーソファＳを構成することも勿論可能である。
【００２８】
『実施例２』
次に実施例２について図６及び図７に基いて以下に説明する。この実施例２では、第一ソファ構造体１の座部11と第二ソファ構造体２の座部21に跨って載置される座クッション３を、実施例１のメインクッション31とサブクッション32が一体となった左右非対称の異形型とし、かつ、表裏どちらの面を向けても使用できるリバーシブルクッション33として作製している(図６参照)。
【００２９】
これにより、コーナーソファＳの形状を左右反転した際、図７に示すようにリバーシブルクッション33を裏返しにするだけでよいため、わざわざ座クッション３を分割して構成する必要がなくなり取扱いが容易になる。
【００３０】
『実施例３』
次に実施例３について図８〜図１０に基いて以下に説明する。図中、符号５で指示するものは、オプションソファである。この実施例３では、コーナーソファＳと共通した座部51及び背凭れ部52、クッション部材53を備え、かつ、座部51の左右端部の何れか一方に選択的に取付けが可能な分離式肘掛け54を備えたオプションソファ５を使用している(図８参照)。
【００３１】
なお実施例１では、上記オプションソファ５において、分離式肘掛け54にロッド部材54a・54aを持ち出して設け、このロッド部材54a・54aを座部51の両側に設けた挿入孔51a・51aに差込んで装着することにより分離式肘掛け54を座部51に固定可能としている(図９参照)。
【００３２】
そして、上記のように構成されたオプションソファ５を、図１０(a)及び(b)に示すようにコーナーソファＳの左右反転に合わせて形態を変更すればコーナーソファＳの短手側の側辺部に常に配置することができるため、コーナークッションＳと一緒に左右反転可能なＬ型ソファを構成できる。
【００３３】
本発明は、概ね上記のように構成されるが、本発明は図示の実施形態に限定されるものではなく、「特許請求の範囲」の記載内において種々の変更が可能であって、例えば、第二ソファ構造体２の移動式背凭れ22の移動手段は、図１１(a)及び(b)に示すように持出し部材Ｂ・Ｂを用いて行ってもよく、その場合には、図１２(a)及び(b)に示すように座クッション３の形状を左右対称とすることができるため、座クッション３を分割したりリバーシブルにしたりする必要がなくなる。
【００３４】
また他にも、図１３に示すように第二ソファ構造体２の座部21と移動式背凭れ22をスライダ部材Ｌで連結して移動式背凭れ22を左右にスライド可能としてもよく、また、図１４に示すように移動式背凭れ22にロッド部材22c・22cを設けてこれを座部21の貫通孔21a・21aに差込むだけの構造であってもよい。
【００３５】
そしてまた、第一ソファ構造体１と第二ソファ構造体２の連結構造に関しても、連結金具を用いる以外の手法、例えば、図１５(a)に示す面ファスナーＦや、図１５(b)に示す持出し部材Ｂ・Ｂを用いた連結構造を採用することができる。
【００３６】
また、オプションソファ５の分離式肘掛け54についても、図１６(a)に示すナット部材54b・54bとボルト部材54c・54cを用いた固定方法や、図１６(b)に示す持出し部材Ｂ・Ｂを用いた固定方法を採用することができ、何れのものも本発明の技術的範囲に属する。
【産業上の利用可能性】
【００３７】
近年、インテリア家具としてのソファの役割は非常に大きく、部屋の形状や生活空間に合ったソファが求められる。また、ソファは設置固定型の家具と異なり模様替えの要素となることから、配置変更し易い形態であることが望ましい。
【００３８】
そのような中で、本発明の左右反転式コーナーソファは、部屋の形状に応じて形態を変更することができ、製造者側によっても都合が良い有用な技術であるため、市場における需要は大きく、その産業上の利用価値は非常に高い。
【符号の説明】
【００３９】
１  第一ソファ構造体
11  座部
11a  ジョイント孔
12  背凭れ
２  第二ソファ構造体
21  座部
21a  貫通孔
21b  ジョイント孔
22  移動式背凭れ
22a  ナット部材
22b  固定ボルト
22c  ロッド部材
３  座クッション
31  メインクッション
32  サブクッション
33  リバーシブルクッション
４  連結金具
５  オプションソファ
51  座部
51a  挿入孔
52  背凭れ部
53  クッション部材
54  分離式肘掛け
54a  ロッド部材
54b  ナット部材
54c  ボルト部材
Ｓ  コーナーソファ
Ｐ  第一側辺部
Ｑ  第二側辺部
Ｆ  面ファスナー
Ｂ  持出し部材
Ｌ  スライダ部材
【図１】
2011229740.tif 000003
【図２】
2011229740.tif 000004
【図３】
2011229740.tif 000005
【図４】
2011229740.tif 000006
【図５】
2011229740.tif 000007
【図６】
2011229740.tif 000008
【図７】
2011229740.tif 000009
【図８】
2011229740.tif 000010
【図９】
2011229740.tif 000011
【図１０】
2011229740.tif 000012
【図１１】
2011229740.tif 000013
【図１２】
2011229740.tif 000014
【図１３】
2011229740.tif 000015
【図１４】
2011229740.tif 000016
【図１５】
2011229740.tif 000017
【図１６】
2011229740.tif 000018